(57)【特許請求の範囲】
【請求項１】
電池及びその給電対象体のうちいずれか一方の電極と接続した第１金具と、前記電池及び前記給電対象体のうち他方の電極に接続した第２金具とを有するスイッチ装置において、第１金具の弾性接触部と第２金具の弾性接触部とが向かい合って位置決めされており、第１金具の弾性接触部に対して実質的に直交する方向に変位可能なレバー部を持つスイッチ操作部と、前記レバー部の掛け止め部と係合する山形折り曲げ部が端部側にある板バネ片を有する第３金具を備え、前記掛け止め部は、前記レバー部の先端側に設けられて前記スイッチ操作部の第１回動位置で前記山形折り曲げ部が相対的に嵌入して当該掛け止め部を自己位置決めする第１凹部と、前記レバー部で前記第１凹部よりも反先端側に設けられて前記スイッチ操作部の第２回動位置で前記山形折り曲げ部が相対的に嵌入して当該掛け止め部を自己位置決めする第２凹部と、前記スイッチ操作部の第１回動位置と第２回動位置との間で第１凹部と第２凹部とに対する前記山形折り曲げ部の嵌入を分かつ湾曲凸部とを有し、前記山形折り曲げ部が第２凹部に相対的に嵌入する際に前記レバー部の先端部が第１金具の弾性接触部を押圧して前記第２金具の弾性接触部に接触させることを特徴とするスイッチ装置。
【請求項２】
請求項１に記載のスイッチ装置において、前記板バネ片の前記レバー部寄りへの撓みを抑制するバネ押えを備えて成ることを特徴とするスイッチ装置。
【請求項３】
請求項１又は請求項２に記載のスイッチ装置において、前記スイッチ操作部は、相対向した支軸を持つ一対の対向脚部と、これらに跨って前記支軸に対して直交方向の双方向へ延在する梃子部と、この操作部の一端から湾曲した前記レバー部とを一体的に有することを特徴とするスイッチ装置。
【請求項４】
請求項３に記載のスイッチ装置において、放射方向線を前記板バネ片の自由状態で前記山形折り曲げ部の頂点と前記支軸の回転中心を通る線と規定すると、前記山形折り曲げ部の下端側斜面の前記放射方向線に対する開き角は前記山形折り曲げ部の反下端側斜面の前記放射方向線に対する開き角に比し大きいことを特徴とするスイッチ装置。
【請求項５】
請求項１乃至請求項４のいずれか一項に記載のスイッチ装置を用いて成り、前記給電対象体は偏心錘を持つ振動モータであって、この振動モータと前記電池との間に前記第１乃至第３金具を配置して内蔵したケース本体を備え、このケース本体は、歯ブラシのネック部を着脱自在に挟持する第１の二股爪部と、前記歯ブラシのハンドル部を着脱自在に挟持する第２の二股爪部とを一体的に備えて成ることを特徴とする着脱式歯ブラシ用振動装置。
【請求項６】
請求項５に記載の着脱式歯ブラシ用振動装置において、前記ケース本体は前記第２の二股爪部から後方へ延在し前記ハンドル部に跨る尾部を有することを特徴とする着脱式歯ブラシ用振動装置。
【請求項７】
請求項５又は請求項６に記載の着脱式歯ブラシ用振動装置において、前記ケース本体の振動モータ収容部を塞ぐモータカバーを有し、前記振動モータ収容部と前記モータカバーとで前記支軸を揺動可能に支持し、前記操作部が前記モータカバー上に被さっていることを特徴とする着脱式歯ブラシ用振動装置。
【請求項８】
請求項７に記載の着脱式歯ブラシ用振動装置において、前記モータカバーは前記板バネ片の前記レバー部寄りへの撓みを抑制するバネ押えを有することを特徴とする着脱式歯ブラシ用振動装置。
【請求項９】
請求項７又は請求項８に記載の着脱式歯ブラシ用振動装置において、前記振動モータ収容部は、前記スイッチ操作部の前記支軸を中心とする回動角を限定する回り止め部を有することを特徴とする着脱式歯ブラシ用振動装置。
【請求項１０】
請求項７乃至請求項９のいずれか一項に記載の着脱式歯ブラシ用振動装置において、前記ケース本体の電池収容部と前記振動モータ収容部とを一巡する開口縁にＯリングを介在させて前記両収容部を塞ぐ外カバーを有することを特徴とする着脱式歯ブラシ用振動装置。
【発明の詳細な説明】
【技術分野】
【０００１】
本発明は、機械的なスイッチ装置に関し、特に、これを用いた着脱式歯ブラシ用振動装置に関する。
【背景技術】
【０００２】
特開２００３−９３４１５には偏心錘を持つ振動モータを用いた電動歯ブラシが開示されている。この電動歯ブラシは、内部に電池２本を直列に収納する把持本体と、この把持本体の一側部に取り付けた歯ブラシ体とから成り、把持本体の外端部にはスイッチを兼ねた蓋体をねじ等の止着部材により取り付けてあって、スイッチ操作を行なうことができると共に電池交換ができるようになっている。このスイッチは内蔵する振動モータと電池とに構成した回路途中に設けられ、止着部材における回転式や押しボタン式となっている。
【先行技術文献】
【特許文献】
【０００３】
【特許文献１】特開２００３−９３４１５（００１１〜００１３、図１）
【発明の概要】
【発明が解決しようとする課題】
【０００４】
しかしながら、上記のスイッチは把持本体の歯ブラシ側ではなく外端部（反歯ブラシ側）に設けられているため、把持本体を片手で把持した際にはスイッチのオン／オフ操作は他方の手で行なわねばならず、把持した手の親指操作でスイッチ操作を行なうのは不可能で使い勝手の悪さがあった。また、歯ブラシ体は、ネック部近傍の空洞部に振動モータを内蔵し、把持本体の一側部に嵌合筒部を接合する特殊品であることから、ブラシ毛の摩滅劣化の際は歯ブラシ体全体の交換を余儀なくされるばかりか、内部部品である振動モータを露出させてからこれを新たな歯ブラシ体に組み込み直す手間を要する。
【０００５】
そこで、本発明の第１の課題は、把持した手の親指操作でスイッチ操作が可能な機械的なスイッチ装置を提供することにある。
【０００６】
本発明の第２の課題は、歯ブラシ交換の際にケース内の振動モータを取り外さずに済ませることができる電動歯ブラシを提供することにある。
【課題を解決するための手段】
【０００７】
本発明は、電池及びその給電対象体のうちいずれか一方の電極と接続した第１金具と、前記電池及び前記給電対象体のうち他方の電極に接続した第２金具とを有するスイッチ装置において、第１金具の弾性接触部と第２金具の弾性接触部とが向かい合って位置決めされており、第１金具の弾性接触部に対して実質的に直交する方向に変位可能なレバー部を持つスイッチ操作部と、レバー部の掛け止め部と係合する山形折り曲げ部が端部側にある板バネ片を有する第３金具を備え、掛け止め部は、レバー部の先端側に設けられてスイッチ操作部の第１揺動位置で山形折り曲げ部が相対的に嵌入して当該掛け止め部を自己位置決めする第１凹部と、レバー部で第１凹部よりも反先端側に設けられてスイッチ操作部の第２揺動位置で山形折り曲げ部が相対的に嵌入して当該掛け止め部を自己位置決めする第２凹部と、スイッチ操作部の第１揺動位置と第２揺動位置との間で第１凹部と第２凹部とに対する山形折り曲げ部の嵌入を分かつ湾曲凸部とを有し、山形折り曲げ部が第２凹部に相対的に嵌入する際にレバー部の先端部が第１金具の弾性接触部を押圧して第２金具の弾性接触部に接触させることを特徴とする。
【０００８】
把持した手の親指操作でスイッチ操作部を揺動するだけでオン／オフ切り替え可能となっているが、第１金具の弾性接触部が第２金具の弾性接触部から離れているオフ状態でも、第１金具の弾性接触部が第２金具の弾性接触部に接触するオン状態でも、第３金具の山形折り曲げ部はその板バネ片が自然状態において掛け止め部の第１凹部又は第２凹部に掛り止まった同等な係合関係であるため、第１金具の弾性接触部及び第２金具の弾性接触部のバネ性の減退を抑制できるばかりか、第３金具における板バネ片のバネ性の減退も抑制でき、機械的スイッチの耐久性を高めることができる。
【０００９】
上記スイッチ装置においては、板バネ片のレバー部寄りへの撓みを抑制するバネ押えを備えて成ることが望ましい。オフ状態において掛け止め部の第１凹部が第３金具の山形折り曲げ部を過度に持ち上げても、バネ押えがる板バネ片を押えているため、る板バネ片の撓み量を抑えて塑性変形を防止できる。
【００１０】
スイッチ操作部は、相対向した支軸を持つ一対の対向脚部と、これらに跨って支軸に対して直交方向の双方向へ延在する梃子部と、この梃子部の一端から湾曲したレバー部とを一体的に有することが望ましい。レバー部の変位を梃子部のシーソー操作で実現できるから、スイッチ操作面を電池や給電対象体の片面側に配することができる。
【００１１】
ここで、放射方向線を板バネ片の自由状態で山形折り曲げ部の頂点と支軸の回転中心を通る線と規定すると、山形折り曲げ部の下端側斜面の放射方向線に対する開き角は山形折り曲げ部の反下端側斜面の放射方向線に対する開き角に比し大きいことが望ましい。山形折り曲げ部と第１凹部又は第２凹部との掛り止めを確実にするには、山形折り曲げ部の開き角度を狭くして嵌め合い深さを深くすることが必要であるが、反下端側斜面の放射方向線からの開き角度が小さくとも、板バネ片を反掛け止め部側へ押し曲げることができるので、オフ状態からオン状態へと支障なく切換えることができる。一方、下端側斜面の放射方向線からの開き角度が大きいと、掛け止め部の上昇に伴う湾曲凸部の上湾曲面からの下端側斜面への抗力が板バネ片を反掛け止め部側へ押し曲げて、湾曲凸部の上湾曲面が下端側斜面上を滑り、山形折り曲げ部の頂点に達してすり抜けるため、山形折り曲げ部が第１凹部内に落ち込み易くなり、オン状態からオフ状態へ確実に切換えることができる。
【００１２】
着脱式歯ブラシ用振動装置としては、上記スイッチ装置を用いて成り、給電対象体は偏心錘を持つ振動モータであって、この振動モータと電池との間に第１乃至第３金具を配置して内蔵したケース本体を備え、このケース本体は、歯ブラシのネック部を着脱自在に挟持する第１の二股爪部と、歯ブラシのハンドル部を着脱自在に挟持する第２の二股爪部とを一体的に備えている。
【００１３】
振動モータからの振動はケース本体を介して第１の二股爪部から歯ブラシのネック部に良く伝わるため、市販品の歯ブラシでも電動歯ブラシとして使用可能となる。一台の着脱式歯ブラシ用振動装置を家族数人の使い回しで共用でき、従来の専用電動歯ブラシを各人が購入する場合に比し低価格化を実現できる。また、歯ブラシの交換においては、振動モータは露出せず、ケース本体に内蔵されたままであり、二股爪部による着脱操作だけで簡単に交換できる。
【００１４】
ここで、ケース本体は第２の二股爪部から後方へ延在しハンドル部に跨る尾部を有する場合は、ハンドル部を把持した片手の指が第２の二股爪部に不如意に掛ったときでも、第２の二股爪部がハンドル部の端にないため、ハンドル部から外れ難い。
【００１５】
また、ケース本体の振動モータ収容部を塞ぐモータカバーを有し、振動モータ収容部とモータカバーとで支軸を回動可能に支持し、操作板部がモータカバー上に被さっている場合、レバー部のスライドにおいてはその先端がケース本体に当接するときと、反対に、操作部の端がモータカバーに当接するときとがあり、レバー部のスライドストロークを限定できる。
【００１６】
このモータカバーが板バネ片のレバー部寄りへの撓みを抑制するバネ押えを有する場合は、部品点数を削減できる。
【００１７】
振動モータ収容部は、スイッチ操作部の支軸を中心とする回動角を限定する回り止め部を有することが望ましい。この回り止め部によってオン状態では掛け止め部の先端が第１金具の弾性接触部を過度に押圧してしまうことがなく、第１金具の弾性接触部及び第２金具の弾性接触の塑性変形を抑制できる。またオフ状態では掛け止め部の第１凹部が第３金具の山形折り曲げ部を過度に持ち上げずに済み、第３金具の塑性変形を抑制できる。
【００１８】
ケース本体の電池収容部と振動モータ収容部とを一巡する開口縁にＯリングを介在させて両収容部を塞ぐ外カバーを有することが望ましい。防水構造を高めることができる。
【発明の効果】
【００１９】
本発明のスイッチ装置によれば、部品点数が少なくコンパクトな収納構造を実現できると共に、スイッチ操作が把持した手の親指操作で可能である。また本発明の着脱式歯ブラシ用振動装置によれば、市販品の歯ブラシを電動歯ブラシとして使用可能とすることができる。
【図面の簡単な説明】
【００２０】
【図１】（Ａ）は本発明の実施例１に係る着脱式歯ブラシ用振動装置を用いた電動歯ブラシを示す正面図、（Ｂ）は同電動歯ブラシの右側面図、（Ｃ）は同電動歯ブラシの左側面図である。
【図２】（Ａ）は同着脱式歯ブラシ用振動装置を示す正面図、（Ｂ）は同着脱式歯ブラシ用振動装置の右側面図、（Ｃ）は同着脱式歯ブラシ用振動動置の左側面図、（Ｄ）は同着脱式歯ブラシ用振動装置の平面図、（Ｅ）は同着脱式歯ブラシ用振動装置の底面面である。
【図３】（Ａ）は同着脱式歯ブラシ用振動装置を上から見た斜視図、（Ｂ）は同着脱式歯ブラシ用振動装置を下から見た斜視図である。
【図４】同着脱式歯ブラシ振動装置の組立斜視図である。
【図５】（Ａ）は同着脱式歯ブラシ振動装置のケース本体を上から見た斜視図、（Ｂ）は同ケース本体を下から見た斜視図である。
【図６】（Ａ）は同ケース本体の正面図、（Ｂ）は同ケース本体の右側面図、（Ｃ）は同ケース本体の左側面図である。
【図７】（Ａ）は同ケース本体の平面図、（Ｂ）は（Ａ）中のｂ−ｂ線で切断した状態を示す切断矢視図、（Ｃ）は（Ｂ）中のｃ−ｃ線で切断した状態を示す切断矢視図、（Ｄ）は（Ｂ）中のｄ−ｄ線で切断した状態を示す切断矢視である。
【図８】（Ａ）は同ケース本体内に振動モータ，モータカバー，絶縁性スイッチ操作部及び端子金具を内蔵した状態を示す縦断面図、（Ｂ）は同ケース本体内に内蔵する振動モータ，絶縁性スイッチ操作部及び端子金具の関係を示す正面図である。
【図９】（Ａ）は同ケース本体内に内蔵する電池マイナス端子金具を示す斜視図、（Ｂ）は同電池マイナス端子金具の正面図、（Ｃ）は同電池マイナス端子金具の左側面図である。
【図１０】（Ａ）は同ケース本体内に内蔵する電池プラス端子金具を示す斜視図、（Ｂ）は同電池プラス端子金具の正面図、（Ｃ）は同電池プラス端子金具を別の角度から見た斜視図である。
【図１１】（Ａ）は同ケース本体内に内蔵するモータプラス端子金具を示す斜視図、（Ｂ）は同モータプラス端子金具の正面図、（Ｃ）は同モータプラス端子金具を別の角度から見た斜視図である。
【図１２】（Ａ）は同振動モータ，同電池マイナス端子金具の一部，同モータプラス端子金具及び同電池プラス端子金具の配置関係を示す斜視図、（Ｂ）は同配置関係を示す正面図である。
【図１３】（Ａ）は同モータカバーを上から見た斜視図、（Ｂ）は同モータカバーを下から見た斜視図である。
【図１４】（Ａ）は同モータカバーの平面図、（Ｂ）は同モータカバーの正面図、（Ｃ）は同モータカバーの右側面図、（Ｄ）は同モータカバーの底面図、（Ｅ）は（Ｄ）中のｅ−ｅ線で切断した状態を示す切断矢視図、（Ｆ）は（Ｄ）中のｆ−ｆ線で切断した状態を示す切断矢視図、（Ｇ）は（Ｄ）中のｇ−ｇ線で切断した状態を示す切断矢視図である。
【図１５】（Ａ）は同絶縁性スイッチ操作部を上から見た斜視図、（Ｂ）は同絶縁性スイッチ操作部を下から見た斜視図である。
【図１６】（Ａ）は同絶縁性スイッチ操作部の平面図、（Ｂ）は同絶縁性スイッチ操作部の正面図、（Ｃ）は同絶縁性スイッチ操作部の右側面図、（Ｄ）は同絶縁性スイッチ操作部の左側面図、（Ｅ）は（Ａ）中のｅ−ｅ線に沿って切断した状態を示す切断矢視図である。
【図１７】（Ａ）〜（Ｄ）は同モータカバーと同是絶縁性スイッチ操作部とを組み合わせて同ケース本体に組み込む手順を示す断面図である。
【図１８】（Ａ）は同電動歯ブラシ用振動装置の外カバーを示す平面図、（Ｂ）は同外カバーの右側面図、（Ｃ）は同外カバーの左側面図、（Ｄ）は同外カバーの正面図、（Ｅ）は同外カバーの底面図、（Ｆ）は（Ｄ）中のｆ−ｆ線に沿って切断した状態を示す切断矢視図、（Ｇ）は（Ｄ）中のｇ−ｇ線に沿って切断した状態を示す切断矢視図、（Ｈ）は（Ｄ）中のｈ−ｈ線に沿って切断した状態を示す切断矢視である。
【図１９】（Ａ）は同電動歯ブラシ用振動装置の振動モータのオフ状態を示す断面図、（Ｂ）は振動モータをオン状態からオフ状態へ移行させる中途状態を示す断面図、（Ｃ）は振動モータのオン状態を示す断面図である。
【図２０】本発明の実施例２に係る着脱式歯ブラシ用振動装置を示す分解正面図である。
【図２１】（Ａ）は同電動歯ブラシ用振動装置の振動モータのオフ状態を示す断面図、（Ｂ）は振動モータをオン状態からオフ状態へ移行させる中途状態を示す断面図、（Ｃ）は振動モータのオン状態を示す断面図である。
【図２２】（Ａ）は同電動歯ブラシ用振動装置における振動モータ収容部の軸受部に支軸を落とし込む状態を示す部分斜視図、（Ｂ）はその落し込み完了状態を示す部分斜視図である。
【図２３】（Ａ）は同電動歯ブラシ用振動装置におけるドーム状モータカバーを示す部分斜視図、（ｂ）は同ドーム状モータカバーを振動モータ収容部に被せた状態を示す部分斜視図である。
【図２４】（Ａ）乃至（Ｃ）は同電動歯ブラシ用振動装置におけるオン操作に伴うスイッチ操作部の係合部分と第１端子金具の山形折り曲げ部との関係を順次示す部分拡大図で、（Ｄ）乃至（Ｆ）は同電動歯ブラシ用振動装置におけるオフ操作に伴うスイッチ操作部の係合部分と第１端子金具の山形折り曲げ部との関係を順次示す部分拡大図である。
【図２５】（Ａ）は同電動歯ブラシ用振動装置のおける第１端子金具を示す正面図、（Ｂ）は別の第１端子金具を示す拡大正面図である。
【発明を実施するための形態】
【００２１】
次に、本発明に係る着脱式歯ブラシ振動装置の実施例を添付図面に基づいて説明する。
【実施例１】
【００２２】
本例の着脱式歯ブラシ振動装置１を用いた電動歯ブラシ２は、図１に示す如く、歯ブラシ３に着脱式歯ブラシ振動装置１を装着したものである。まず歯ブラシ３としては、通常市販品でも構わないが、特に本例では特許第４１４６７２９号に開示のカートリッジ式ブラシ毛を適宜取り替え可能な歯ブラシであって、片手で把持するハンドル部３ａと、このハンドル部３ａからこれより縮径の柄部３ｂを介して延在するヘッド部３ｃに対して着脱交換可能な替えブラシユニット３ｄとを有する。着脱式歯ブラシ振動装置１の筐体は樹脂製のケース本体１０と外カバー２０とから成り、このケース本体１０は、歯ブラシ３の柄部３ｂが貫通可能に抱持する空洞部Ｓを有し、その先端において歯ブラシ３の柄部３ｂのハンドル部３ａ側であるネック部３ｅを着脱自在に弾力的に挟持する第１の二股爪部１１と、その腹部において歯ブラシ３のハンドル部３ａの中途部３ｆを着脱自在に弾力的に挟持する第２の二股爪部１２とが側面１０ａ，１０ｂから底面側へ張り出ており、それ以外の側面１０ａ，１０ｂの端はハンドル部３ａを把持できるようハンドル部３ａの輪郭形状に合わせて内側で終端している。また、ケース本体１０は全体的にハンドル部３ａに跨って装着されるが、第２の二股爪部１２から後方へ延在しハンドル部３ａに跨る尾部Ｔも有する。ハンドル部３ａを把持した片手の指が第２の二股爪部１２に不如意に掛ったときでも、第２の二股爪部１２がハンドル部３ａの端にないため、ハンドル部３ａから外れ難い。
【００２３】
ケース本体１０の細長矩形状の収納凹所は、振動モータ収容部１３と電池収容部１４とに分けられており、振動モータ収容部１３と電池収容部１４との中間は端子金具装填部１５となっている。電池収容部１４内には、図４及び図８に示す如く、電池マイナス端子金具３０及び電池プラス端子金具４０が組み込まれている。
【００２４】
電池マイナス端子金具３０は、図９に示す如く、乾電池Ｂのマイナス電極に押圧接触する折り返し弾性片３１ａ及び電池収容部１４の壁１４ａに当って抜け止め機能を果たす返し片３１ｂを持つ端板部３１と、この端板部３１から折曲して長手方向に延び電池収容部１４の底面に嵌る底板部３２と、この底板部３２の他方端で折曲して偏心錘Ｗを持つ振動モータ６０のマイナス端子６１と半田付けされる半田盛り片３３ａ及び振動モータ収容部１３の壁に当って抜け止め機能を果たす返し片３３ｂを持つ端板部３３とを一体的に有する。端板部３１は図７に示す第１の案内溝Ｇ１に沿って差し込まれている。
【００２５】
電池プラス端子金具４０は、図１０に示す如く、電池収容部１４を区画する第１の中抜き仕切り壁１４ｂに当って抜け止め機能を果たす一対の返し片４１ａと電池マイナス端子金具３０の底板部３２に接触しない広さに開けた切欠き部４１ｂを持つ脚片部４１と、この脚片部４１の上部にプレス成形して乾電池Ｂのプラス電極に押圧接触する凸部４２と、この凸部４２の上部から折曲形成した折り返し弾性片４３とを有する。脚片部４１は図７に示す第２の案内溝Ｇ２に沿って差し込まれている。
【００２６】
第１の中抜き仕切り壁１４ｂと振動モータ収容部１３の壁との間には第２の中抜き仕切り壁１４ｃが形成されており、この第２の中抜き仕切り壁１４ｃは中継端子金具としてのモータプラス端子金具５０が取り付けられている。このモータプラス端子金具５０は、第２の中抜き仕切り壁１４ｃに当って抜け止め機能を果たす一対の返し片５１ａと電池マイナス端子金具３０の底板部３２に接触しない広さに開けた切欠き部５１ｂを持つ脚片部５１と、この脚片部５１の上部にプレス成形して後述する絶縁性スイッチ操作部８０の隔壁部８４に圧接する凸部５２と、この凸部５２の上部から折曲形成されて振動モータ６０のプラス端子６２と半田付けされる半田盛り片５３を有する。脚片部５１は図７に示す第３の案内溝Ｇ３に沿って差し込まれている。この凸部５２と折り返し弾性片４３とは、図１２に示す如く、第１の中抜き仕切り壁１４ｂと第２の中抜き仕切り壁１４ｃとの間で向き合って弾力的に接触している。
【００２７】
振動モータ６０はその下半分に象られた振動モータ収容部１３内に嵌め込み設置されており、モータケースの反偏心錘端から突出したマイナス端子６１及びプラス端子６２は電池Ｂ側へ向いている。この振動モータ６０は図１３及び図１４に示す樹脂製のドーム状モータカバー７０で覆われて密閉されている。ここで、ドーム状モータカバー７０は振動モータ６０を覆う天井部７１の外、端子６１，６２及び半田盛り片３３ａ，５３の半田接続箇所を密封する継ぎ足し天井部７２を一体的に有する。そして、ドーム状モータカバー７０の上には、図１５及び図１６に示す絶縁性スイッチ操作部８０が被さっている。
【００２８】
この絶縁性スイッチ操作部８０は絶縁性樹脂の成形品であって、相対向した支軸８１ａ，８２ａを持つ一対の対向脚部８１，８２と、これらに跨って支軸８１ａ，８２ａに対して直交方向の双方向へ延在する梃子部８３と、この梃子部８３の一端からＬ形状に湾曲した隔壁部８４とを一体的に有する。梃子部８３上の隔壁部８４側にはオン釦部８３ａが膨出形成されていると共に、その反対側にはオフ釦部８３ｂが膨出形成されている。支軸８１ａ，８２ａはドーム状モータカバー７０の下端に形成された軸受孔７１ａ，７１ｂと振動モータ収容部１３の上端縁１３ａとの間に回転可能に嵌っている。
【００２９】
このドーム状モータカバー７０及び絶縁性スイッチ操作部８０をケース本体１０に組み付ける場合は、図１７（Ａ）に示す如く、絶縁性スイッチ操作部８０の梃子部８３がドーム状モータカバー７０上になるよう、絶縁性スイッチ操作部８０の対向脚部８１，８２間を天井部７１よりも幅狭の継ぎ足し天井部７２に跨らせてその長手方向（母線方向）へ差し入れることにより、図１７（Ｂ）に示す如く、支軸８１ａ，８２ａが軸受孔７１ａ，７１ｂの孔壁に当接して嵌めることができる。その後、図１７（Ｃ）に示す如く、オフ釦部８３ｂを押して隔壁部８４が跳ね上がる姿勢を保持したまま、隔壁部８４を端子金具装填部１５における凸部５２と折り返し弾性片４３との間に差し込むと共に、ドーム状モータカバー７０を図１７（Ｄ）に示す如く振動モータ収容部１３の接着剤塗布済みの上端縁１３ａに合わせて固定する。切り欠き状の軸受孔７１ａ，７１ｂはその上端縁１３ａで囲まれるため、支軸８１ａ，８２ａが軸受孔７１ａ，７１ｂから外れることがない。
【００３０】
ここで、隔壁部８４は絶縁性スイッチ操作部８０のシーソー運動に伴い折り返し弾性片４３の先端側を相対的に嵌め込み案内するガイド溝８４ａを有する。また隔壁部８４は、その基部側に凸部４２が嵌入する貫通孔Ｈと先端側に凸部４２が嵌入する盲穴ｈとを備えている。
【００３１】
ケース本体１０の振動モータ収容部１３，電池収容部１４及び端子金具装填部１５を巡る壁の上端縁には、図４及び図５に示す如く、Ｏリング１７が沿って嵌め込まれている。また、図８（Ａ）に示す如く、ケース本体１０の長手方向の両側には外カバー掛止爪部Ｋ１，Ｋ２が一体的に形成されている。また、ケース本体１０を覆う外カバー２０は、図１８に示す如く、半円筒状であって、その両端に外カバー掛止爪部Ｋ１，Ｋ２に係合する掛止突起Ｐ１，Ｐ２と操作板部８３のオン釦部８３ａ及びオフ釦部８３ｂを臨んで対応する位置に矩形窓２１を有している。そして、この矩形窓２１はその周辺に貼着されたスイッチ操作マーク付きの防水シール２２で塞がれている。
【００３２】
このような構成の着脱式歯ブラシ振動装置１においては、振動モータ６０からの振動はケース本体１０を介して第１の二股爪部１１から歯ブラシ２のネック部３ｅに良く伝わるため、市販品の歯ブラシでも電動歯ブラシとして使用できる。また、歯ブラシ２の交換においては、振動モータ６０は露出せず、ケース本体１０に内蔵されたままであり、二股フック部１１，１２による着脱操作で簡単に交換できる。一台の着脱式歯ブラシ用振動装置１を家族数人の使い回しで共用でき、従来の専用電動歯ブラシを各人が購入する場合に比し低価格化を実現できる。
【００３３】
また、本例における機械的スイッチ装置においては、図１９（Ａ）に示す如く、隔壁部８４の盲穴ｈに凸部５２が嵌った状態では、凸部５２が折り返し弾性片４３と非接触であるため、スイッチ・オフ状態を持続でき、斯かる状態からケース本体１０を把持する手の親指でオン釦部８３ａを防水シール２２を介して押し込むと、スイッチ操作部８０が矢印Ｘ方向に揺動し、図１９（Ｂ）に示す如く、盲穴ｈが凸部５２から相対的に抜け出し、今度は図１９（Ｃ）に示す如く、凸部５２が貫通孔Ｈに嵌入すると同時に折り返し弾性片４３の先端側も貫通孔Ｈの反対側から進入するため、凸部５２と折り返し弾性片４３とが貫通孔Ｈ内で弾性的に圧接し、スイッチ・オン状態を持続できる。逆に、図１９（Ｃ）のスイッチ・オン状態において、指頭でオフ釦部８３ｂを押し込むことにより、スイッチ操作部８０が矢印Ｙ方向に揺動し、図１９（Ｂ）に示す如く、凸部５２及び折り返し弾性片４３が貫通孔Ｈから相対的に抜け出し、今度は図１９（Ａ）に示す如く、凸部５２が盲穴ｈに嵌って返し弾性片４３とは非接触状態となり、スイッチ・オフ状態を持続できる。
【００３４】
このように、凸部５２の貫通孔Ｈ又は盲穴ｈに対して選択的に嵌ることによりスイッチのオン状態又はオフ状態が持続でき、しかも片手でケース本体１０を把持したまま、その親指でスイッチ操作でき、使い勝手の向上に資する。また、２つの端子金具４０，５０とこの間に隔壁部８４が介在するスイッチ操作部８０とで構成できるため、実質的にコンパクトな収納構造として端子金具装填部１５で済む。
【００３５】
本例では、隔壁部８４にガイド溝８４ａが形成されているため、折り返し弾性片４３の逃げをガイド溝で規制でき、永年使用による折り返し弾性片４３の変形が抑制でき、結果として隔壁部８４のスライド方向に対するブレの抑制で、凸部４２と盲穴ｈや貫通孔Ｈとの嵌め合わせの精度を持続できる。
【００３６】
絶縁性スイッチ操作部８０は梃子部８３とこれからＬ形状に湾曲した隔壁部８４とを一体的に有し、梃子部８１のシーソー操作で隔壁部８４をスライドできるので、スイッチ操作面をケース本体の片面側に配することができ、親指操作に適している。
【００３７】
凸部５２は盲穴ｈと浅く嵌合し、凸部５２は貫通孔Ｈと深く嵌合するが、貫通孔Ｈは隔壁部８４の基部側に形成されているので、隔壁部８４には嵌合時に過大なストレスが生じ難く、スイッチ操作に伴う耐久性を向上できる。
【００３８】
本例では、ケース本体１０の振動モータ収容部１３を塞ぐドーム状モータカバー７０を有し、振動モータ収容部１３とドーム状モータカバー７０とで支軸８１ａ，８２ａを回動可能に支持し、梃子部８１がドーム状モータカバー７０上に被さっているので、隔壁部８４のスライドにおいてはその先端がケース本体１０に当接するときと、反対に、梃子部８１の端がドーム状モータカバー７０に当接するときとがあり、隔壁部８４のスライドストロークを限定できる。
【００３９】
そして、ケース本体１０の電池収容部１４と振動モータ収容部１３とを一巡する開口縁にＯリング１７を介在させて両収容部を塞ぐ外カバー２０を有し、この外カバー２０は操作板部８１のオン釦部８３ａ及びオフ釦部８３ｂに臨むシート付きの矩形窓２１を有しているため、操作板部８１はドーム状モータカバー７０と外カバー２０との間に挟まっており、矩形窓２１の防水シール２２を介してシーソー操作可能であって、Ｏリング１７や防水シール２２で２重防水構造となっている。
【００４０】
なお、着脱式歯ブラシ振動装置１においては振動モータ６０を内蔵してあるが、それに代えてギアドモータとすることにより、各種の着脱式原動装置を実現することができる。
【実施例２】
【００４１】
この種の機械的スイッチ装置のオフ状態はオン状態に比べて恒常的なものとなるが、実施例１の着脱式歯ブラシ振動装置１においては、図１９（Ａ）に示す如く、電池プラス端子金具４０の折り返し弾性片４３とモータプラス端子金具５０の凸部５２とでスイッチ操作部８０の先端側の隔壁部８４が弾力的に挟み込まれており、折り返し弾性片４３及びモータプラス端子金具５０の双方は隔壁部８４からの抗力を受けて弾性変形が常態となっているため、バネ性が減退し易く、図１９（Ｃ）に示すオン状態では、折り返し弾性片４３と凸部５２とが自由状態に復帰し難く、貫通孔Ｈ内で互いに圧接し難くなるおそれがある。
【００４２】
そこで実施例２に係る着脱式歯ブラシ振動装置においては、以下に示す如く、オフ状態でフリー状態を維持できる接点バネを備えていることを特徴とする。
【００４３】
即ち、本例の着脱式歯ブラシ振動装置１′は、図２０に示す如く、ケース本体１０′と、ケース本体１０′の振動モータ収容部１３内に配置する振動モータ６０と、ケース本体１０′の電池収容部１４内の長手方向に配置する電池マイナス端子金具３０′と、電池収容部１４に収める乾電池Ｂと、ケース本体１０′の第１の中抜き仕切り壁１４ｂに差し込んで振動モータ６０のプラス端子６２に接続する電池プラス端子金具４０′と、振動モータ６０のマイナス端子６１に接続してスイッチ操作部８０′の押し引きで電池マイナス端子金具３０′のバネ接片３０ａに接離する中継金具９１と、振動モータ６０を覆うドーム状モータカバー７０′と、スイッチ操作部８０′と、振動モータ収容部１３及び電池収容部１４の開口縁に合わせるＯリング１７と、このＯリング１７を挟み込む外カバー２０′と、この外カバー２０′の押し釦部２３を密閉する防水シール９０とから成る。
【００４４】
図２１においてはスイッチ操作部８０′の回転中心はＯで表してある。電池マイナス端子金具３０′のバネ接片３０ａと中継金具９１のバネ接片９１ａとは向かい合って位置決めされている。スイッチ操作部８０′は、梃子部８３′の一方からＬ字状に湾曲し、バネ接片３０ａに対して実質的に直交する方向に変位可能なレバー部Ｌを持っている。レバー部Ｌは電池プラス端子金具４０′の山形折り曲げ部ｍと係合する掛け止め部Ａを有する。この掛け止め部Ａは、先側に設けられてスイッチ操作部８０′のオフ回動位置（図２１（Ａ））でＶ字状の山形折り曲げ部ｍが相対的に嵌入して当該掛け止め部Ａを自己位置決めする第１凹部Ａ１と、この第１凹部Ａ１よりも反先端側に設けられてスイッチ操作部８０′のオン回動位置（図２１（Ｃ））で山形折り曲げ部ｍが相対的に嵌入して当該掛け止め部Ａを自己位置決めする第２凹部Ａ２と、スイッチ操作部８０′の第１回動位置と第２回動位置との間で第１凹部Ａ１と第２凹部Ａ２とに対する山形折り曲げ部ｍの嵌入を分かつ湾曲凸部Ｚとを有する。山形折り曲げ部ｍが第２凹部Ａ２に相対的に嵌入する際に掛け止め部Ａの先端部が中継金具９１のバネ接片９１ａが押圧されて電池マイナス端子金具３０′のバネ接片３０ａに接触するようになっている。
【００４５】
図２１（Ａ）に示す状態がオフ状態であって、スイッチ操作部８０′は後述するように図示左揺動限界位置で度当たりしており、第１凹部Ａ１と山形折り曲げ部ｍとが嵌合状態で、電池マイナス端子金具３０′のバネ接片３０ａと中継金具９１のバネ接片９１ａとが自然状態で離反しており、振動モータ６０へは給電されないオフ状態である。
【００４６】
ここで、電池プラス端子金具４０′は、図２５に示す如く、電池収容部１４の底面に設置する折曲部４４を持つ立ち上がり部４５と、その上部の逆Ｕ字状部４６を介して形成された立ち下り部４７と、この立ち下り部４７の下端側に形成された山形折り曲げ部ｍと、立ち上がり部４５の下部端側から延在して振動モータ６０のプラス端子６２に半田付けされる端子接続片４８を一体的に有し、立ち上がり部４５と立ち下り部４７とで第１の中抜き仕切り壁１４ｂを挟持しており、図２５（Ａ）に示す如く、立ち下り部４７は逆Ｕ字状部４６との境界点Ｐを中心にして立ち上がり部側と反立ち上がり部に折り曲げ可能で、オフ状態の場合は立ち下がり部４５が実質的に自由状態で第１凹部Ａ１に嵌ってスイッチ操作部８０′を位置決めしている。
【００４７】
このオフ状態において、図２１（Ｂ）に示す如く、押し釦部２３のオン釦部２３ａが矢印１のように指頭で押圧されると、スイッチ操作部８０′が矢印２のように回転中心Ｏ周りに右に揺動するため、掛け止め部Ａの第１凹部Ａ１の上斜面が山形折り曲げ部ｍの上斜面を押し退けて立ち上がり部４５が押し曲げられ、矢印３のように山形折り曲げ部ｍが湾曲凸部Ｚまで押し上げられ、更に、オン釦部２３ａが指頭で押圧されると、図２１（Ｃ）に示す如く、掛け止め部Ａの先端が中継金具９１のバネ接片９１ａを矢印４のように押圧してこれを電池マイナス端子金具３０′のバネ接片３０ａに接触させるオン状態となり、山形折り曲げ部ｍが湾曲凸部Ｚから第２凹部Ａ２に落ち込みながら、矢印５のように立ち下がり部４７の押し曲げが自然状態へ復帰するので、山形折り曲げ部ｍがスイッチ操作部８０′を掛け止める。
【００４８】
このように、恒常的なオフ状態においては、電池マイナス端子金具３０′のバネ接片３０ａ、中継金具９１のバネ接片９１ａ及び電池プラス端子金具４０′の立ち下り部４７はそれぞれ自然状態となっているため、バネ性の減退を防止でき、機械的スイッチの信頼性を高めることができる。
【００４９】
図１５及び図１６におけるスイッチ操作部８０は対向脚部８１，８２の内側に支軸８１ａ，８２ａを有しているが、本例のスイッチ操作部８０′は図２２に示す如く先狭状の対向脚部８１，８２の外側に支軸８１ｂ，８２ｂを有し、振動モータ収容部１３の上端縁（開口縁）１３ａ側内壁に軸受凹所１３ｂ，１３ｃが位置している。この軸受凹所１３ｂ，１３ｃは、先狭状の対向脚部８１，８２が収まる脚部受け入れ凹所１３ｄ，１３ｅに奥まって形成されている。そして、ドーム状モータカバー７０′にも図２３（Ａ）に示す如く脚部受け入れ凹所１３ｄ，１３ｅ及び軸受凹所１３ｂ，１３ｃに対応した切り欠きＫが形成されている。スイッチ操作部８０′の支軸８１ｂ，８２ｂは切り欠きＫを介して図２２に示す如く軸受凹所１３ｂ，１３ｃに上から落とし込まれるが、これと同時に先狭状の対向脚部８１，８２も脚部受け入れ凹所１３ｄ，１３ｅに上から落とし込まれる。スイッチ操作部８０′の支軸８１ｂ，８２ｂ周りの回動に対して、脚部受け入れ凹所１３ｄ，１３ｅ又は切り欠きＫ内での先狭状の対向脚部８１，８２が度当たりするため、スイッチ操作部８０′の揺動範囲は左右限界位置を持っている。
【００５０】
このように、スイッチ操作部８０′が右揺動限界位置を持つことから、図２１（Ｃ）に示すオン状態では掛け止め部Ａの先端が中継金具９１のバネ接片９１ａを過度に押圧してしまうことがなく、バネ接片９１ａ，３０ａの塑性変形を防止できる。また、スイッチ操作部８０′が左揺動限界位置を持つことから、図２１（Ａ）に示すオフ状態では掛け止め部Ａの第１凹部Ａ１が電池プラス端子金具４０′の山形折り曲げ部ｍを過度に持ち上げずに済み、立ち下がり部４７の塑性変形を抑制できる。
【００５１】
ドーム状モータカバー７０′は第１の中抜き仕切り壁１４ｂと第２の中抜き仕切り壁１４ｃとの範囲内にレバー貫通孔Ｈを有し、この開口縁の先端側は図２３（Ｂ）に示す如く肉厚となって電池プラス端子金具４０′の立ち下がり部４７の撓み量を抑制するバネ押え７３となっている。図２１（Ａ）に示すオフ状態において掛け止め部Ａの第１凹部Ａ１が電池プラス端子金具４０′の山形折り曲げ部ｍを過度に持ち上げても、バネ押え７３が立ち下がり部４７を押えているため、立ち下がり部４７の撓み量を抑えて塑性変形を防止できる。
【００５２】
図２４（Ａ）に示す如く、自由状態における立ち下がり部４７の山形折り曲げ部ｍの頂点は回転中心Ｏからの放射方向線Ｒ上に位置しているが、ここで掛け止め部Ａと山形折り曲げ部ｍとの係合離脱動作を検証すると、掛け止め部Ａが矢印方向に降下するオン動作では、図２４（Ａ）に示す如く、湾曲凸部Ｚの下湾曲面が山形折り曲げ部ｍの反下端側斜面ｍ１を押圧して立ち下がり部４７を右へ押し曲げるため、図２４（Ｂ）に示す如く、湾曲凸部Ｚが山形折り曲げ部ｍの頂点を乗り上げ、図２４（Ｃ）に示す如く、立ち下がり部４７の曲がりが真直に復帰し、湾曲凸部Ｚの上湾曲面に山形折り曲げ部ｍの下端側斜面ｍ２が滑り込んで山形折り曲げ部ｍが第２凹部Ａ２に落ち込み掛り止まり、バネ接片９１ａ，３０ａが相接触してオン状態となる。
【００５３】
他方、図２４（Ｄ）のオン状態で掛け止め部Ａが矢印方向に上昇するオン動作では、湾曲凸部Ｚの上湾曲面が山形折り曲げ部ｍの下端側斜面ｍ２上で滑らず下端側斜面ｍ２を押し上げてしまうことが起るため、掛け止め部Ａの更なる上昇では図２４（Ｅ）及び（Ｆ）に示す如く、山形折り曲げ部ｍが第２凹部Ａ２の内に留まり、立ち下がり部４７が過度に左に曲がり、掛け止め部Ａが最上限界位置に至っても山形折り曲げ部ｍが第１凹部Ａ１へ移れず、オフ釦部２３ｂから指頭を離すと、押し曲がった立ち下がり部４７の復元力により掛け止め部Ａが降下し、図２４（Ｄ）の状態に戻るので、オン状態が解除できない不具合が起り得る。
【００５４】
山形折り曲げ部ｍと第１凹部Ａ１又は第２凹部Ａ２との掛り止めを確実にするには、山形折り曲げ部ｍの開き角度（＝α＋β）を狭くして嵌め合い深さを深くすることが必要であるが、下端側斜面ｍ２の放射方向線Ｒからの開き角度βが小さすぎると、図２４（Ｄ）に示す如く、掛け止め部Ａの上昇に伴う湾曲凸部Ｚの上湾曲面からの下端側斜面ｍ２への抗力方向が立ち下がり部４７の境界点Ｐの左側を通るので、図２４（Ｅ）及び（Ｆ）の不具合が起る。従って、その抗力方向が曲げ境界点Ｐの右側を通るように、開き角度βを大きくするのが望ましい。大きな開き角度βでは掛け止め部Ａの上昇に伴い、湾曲凸部Ｚの上湾曲面が下端側斜面ｍ２上を滑り、山形折り曲げ部ｍの頂点に達してすり抜けるため、山形折り曲げ部ｍが第１凹部Ａ１内に落ち込むので、オン状態からオフ状態へ確実に切換えることができる。
【００５５】
他方、反下端側斜面ｍ１の放射方向線Ｒからの開き角度αが小さくとも、立ち下がり部４７を右に押し曲げることができるので、オフ状態からオン状態へと支障なく切換えることができる。従って、開き角度αと開き角度βとが等しい場合よりも、開き角度βが開き角度αよりも大きい方が望ましい。本例においては開き角度αは２５°で、開き角度βは３５°としてある。
【符号の説明】
【００５６】
１，１′…着脱式歯ブラシ振動装置
２…電動歯ブラシ
３…歯ブラシ
３ａ…ハンドル部
３ｂ…柄部
３ｃ…ヘッド部
３ｄ…替えブラシユニット
３ｅ…ネック部
３ｆ…中途部
１０，１０′…ケース本体
１０ａ，１０ｂ…側面
１１…第１の二股爪部
１２…第２の二股爪部
１３…振動モータ収容部
１３ａ…上端縁
１３ｂ，１３ｃ…軸受凹所
１３ｄ，１３ｅ…脚部受け入れ凹所
１４…電池収容部
１４ａ…壁
１４ｂ…第１の中抜き仕切り壁
１４ｃ…第２の中抜き仕切り壁
１５…端子金具装填部
１７…Ｏリング
２０，２０′…外カバー
２１…矩形窓
２２…防水シール
２３…押し釦部
２３ａ…オン釦部
２３ｂ…オフ釦部
３０，３０′…電池マイナス端子金具
３０ａ，９１ａ…バネ接片
３１，３３…端板部
３１ａ…折り返し弾性片
３１ｂ，３３ｂ，４１ａ，５１ａ…返し片
３２…底板部
３３ａ，５３…半田盛り片
４０，４０′…電池プラス端子金具
４１，５１…脚片部
４１ｂ，５１ｂ…切欠き部
４２，５２…凸部
４３…折り返し弾性片
４４…折曲部
４５…立ち上がり部
４６…逆Ｕ字状部
４７…立ち下り部
４８…端子接続片
５０…モータプラス端子金具
６０…振動モータ
６１…マイナス端子
６２…プラス端子
７０，７０′…ドーム状モータカバー
７１…天井部
７１ａ，７１ｂ…軸受孔
７２…継ぎ足し天井部
７３…バネ押え
８０，８０′…スイッチ操作部
８１ａ，８１ｂ，８２ａ，８２ｂ…支軸
８１，８２…対向脚部
８３，８３′…梃子部
８３ａ…オン釦部
８３ｂ…オフ釦部
８４…隔壁部
８４ａ…ガイド溝
９０…防水シール
９１…中継金具
Ａ…掛け止め部
Ａ１…第１凹部
Ａ２…第２凹部
Ｂ…乾電池
Ｇ１…第１の案内溝
Ｇ２…第２の案内溝
Ｇ３…第３の案内溝
Ｈ…貫通孔
ｈ…盲穴
Ｋ…切り欠き
Ｋ１，Ｋ２…外カバー掛止爪部
Ｌ…レバー部
ｍ…山形折り曲げ部
ｍ１…反下端側斜面
ｍ２…下端側斜面
Ｏ…回転中心
Ｐ…境界点
Ｐ１，Ｐ２…掛止突起
Ｒ…放射方向線
Ｓ…空洞部
Ｔ…尾部
Ｗ…偏心錘
Ｚ…湾曲凸部
α，β…開き角度
【図１】
0005628693.tif 000002
【図２】
0005628693.tif 000003
【図３】
0005628693.tif 000004
【図４】
0005628693.tif 000005
【図５】
0005628693.tif 000006
【図６】
0005628693.tif 000007
【図７】
0005628693.tif 000008
【図８】
0005628693.tif 000009
【図９】
0005628693.tif 000010
【図１０】
0005628693.tif 000011
【図１１】
0005628693.tif 000012
【図１２】
0005628693.tif 000013
【図１３】
0005628693.tif 000014
【図１４】
0005628693.tif 000015
【図１５】
0005628693.tif 000016
【図１６】
0005628693.tif 000017
【図１７】
0005628693.tif 000018
【図１８】
0005628693.tif 000019
【図１９】
0005628693.tif 000020
【図２０】
0005628693.tif 000021
【図２１】
0005628693.tif 000022
【図２２】
0005628693.tif 000023
【図２３】
0005628693.tif 000024
【図２４】
0005628693.tif 000025
【図２５】
0005628693.tif 000026